(57)【要約】【課題】インターリーブを用いずに空間的な相関性に起因する特性劣化を防ぎ、小型で低消費電力化を実現する受信装置および復調方法を提供する。【解決手段】復号初期においてＬＤＰＣ復号部１３１，１３２がまず仮判定処理を実施し、これによって得られた尤度比から判定部１６１，１６２が仮判定結果を求め、これを用いてレプリカ生成部１４１〜１４４がレプリカ信号を生成する。そして、このレプリカ信号を受信信号から除去して得られる残留信号と、受信信号とを用いて、軟判定値出力部１５１〜１５４が受信尤度値を求める。その後、ＬＤＰＣ復号部１３１，１３２が本判定処理を実施し、上記受信尤度値をＬＤＰＣ復号して各ストリームａ，ｂの尤度比を求めて、これを判定部１６１，１６２でバイナリ判定し、各ストリームａ，ｂの情報系列を得るようにしたものである。【選択図】      図１
2006287336.tif 000002
【特許請求の範囲】
【請求項１】
第１データ系列と第２データ系列がそれぞれＬＤＰＣ符号によって符号化されて、それぞれ異なるアンテナを通じて送信されるＭＩＭＯシステムで用いられる受信装置において、
異なるアンテナを通じて受信した複数の受信信号について、それぞれ伝搬路を推定する伝搬路推定手段と、
この伝搬路推定手段の推定結果に基づいて、受信信号を第１データ系列の信号と第２データ系列の信号に分離する空間フィルタリング手段と、
この空間フィルタリング手段で分離された第１データ系列の信号と第２データ系列の信号を、行基本変形を行って相異なる形に変形された検査行列をそれぞれ用いてＬＤＰＣ復号し、第１データ系列の尤度比と第２データ系列の尤度比を求める第１復号手段と、
この第１復号手段が求めた第１データ系列の尤度比と第２データ系列の尤度比に基づいて、第１データ系列と第２データ系列とをそれぞれ求める第１判定手段と、
この第１判定手段が求めた第１データ系列と第２データ系列と、前記伝搬路推定手段の推定結果に基づいて、レプリカ信号を生成するレプリカ信号生成手段と、
前記受信信号より前記レプリカ信号生成手段が生成したレプリカ信号を除去した残留信号に基づいて、第１データ系列と第２データ系列の各受信尤度値を求める軟判定出力手段と、
この軟判定出力手段が求めた第１データ系列と第２データ系列の各受信尤度値を、行基本変形を行って相異なる形に変形された検査行列をそれぞれ用いてＬＤＰＣ復号し、第１データ系列の尤度比と第２データ系列の尤度比を求める第２復号手段と、
この第２復号手段が求めた第１データ系列の尤度比と第２データ系列の尤度比に基づいて、第１データ系列と第２データ系列とをそれぞれ求める第２判定手段とを具備することを特徴とする受信装置。
【請求項２】
第１データ系列と第２データ系列がそれぞれＬＤＰＣ符号によって符号化されて、それぞれ異なるアンテナを通じて送信されるＭＩＭＯシステムで用いられる受信装置において、
異なるアンテナを通じて受信した複数の受信信号について、それぞれ伝搬路を推定する伝搬路推定手段と、
この伝搬路推定手段の推定結果に基づいて、受信信号を第１データ系列の信号と第２データ系列の信号に分離する空間フィルタリング手段と、
この空間フィルタリング手段で分離された第１データ系列の信号と第２データ系列の信号を、行基本変形を行って相異なる形に変形された検査行列をそれぞれ用いてＬＤＰＣ復号し、第１データ系列の尤度比と第２データ系列の尤度比を求める第１復号手段と、
この第１復号手段が求めた第１データ系列の尤度比と第２データ系列の尤度比と、前記伝搬路推定手段の推定結果に基づいて、ソフトレプリカ信号を生成するソフトレプリカ信号生成手段と、
前記受信信号より前記ソフトレプリカ信号生成手段が生成したソフトレプリカ信号を除去した残留信号に基づいて、第１データ系列と第２データ系列の各受信尤度値を求める軟判定出力手段と、
この軟判定出力手段が求めた第１データ系列と第２データ系列の各受信尤度値を、行基本変形を行って相異なる形に変形された検査行列をそれぞれ用いてＬＤＰＣ復号し、第１データ系列の尤度比と第２データ系列の尤度比を求める第２復号手段と、
この第２復号手段が求めた第１データ系列の尤度比と第２データ系列の尤度比に基づいて、第１データ系列と第２データ系列とをそれぞれ求める判定手段とを具備することを特徴とする受信装置。
【請求項３】
前記第２復号手段は、軟判定出力手段が求めた第１データ系列と第２データ系列の各受信尤度値を、行基本変形を行って相異なる形に変形された検査行列をそれぞれ用いてＬＤＰＣ復号する復号処理を、繰り返し実施して、第１データ系列の尤度比と第２データ系列の尤度比を求めることを特徴とする請求項１または請求項２に記載の受信装置。
【請求項４】
さらに、前記空間フィルタリング手段で分離された第１データ系列の信号と第２データ系列の信号の各ＲＳＳＩを測定する測定手段を備え、
前記第２復号手段は、前記復号処理を、前記測定手段が測定したＲＳＳＩに応じた回数だけ実施して、第１データ系列の尤度比と第２データ系列の尤度比を求めることを特徴とする請求項３に記載の受信装置。
【請求項５】
さらに、前記第２復号手段で繰り返し実施される復号処理で順次得られる尤度比を比較して、その更新量を求める検出手段を備え、
前記第２復号手段は、前記検出手段が検出した更新量に応じて前記復号処理を繰り返し実施して、第１データ系列の尤度比と第２データ系列の尤度比を求めることを特徴とする請求項３に記載の受信装置。
【請求項６】
さらに、前記第２復号手段で繰り返し実施される復号処理で順次得られる尤度比を比較して、その更新量を求める検出手段を備え、
前記第２復号手段は、前記復号処理を、前記検出手段が検出した更新量が予め設定した閾値未満になるまで繰り返し実施して、第１データ系列の尤度比と第２データ系列の尤度比を求めることを特徴とする請求項３に記載の受信装置。
【請求項７】
反復復号処理として、前記レプリカ信号生成手段が、前記第２判定手段が求めた第１データ系列と第２データ系列と、前記伝搬路推定手段の推定結果に基づいて、レプリカ信号を生成し、前記軟判定出力手段が前記受信信号より前記レプリカ信号生成手段が生成したレプリカ信号を除去した残留信号に基づいて、第１データ系列と第２データ系列の各受信尤度値を求め、前記第２復号手段が前記軟判定出力手段が求めた第１データ系列と第２データ系列の各受信尤度値を、行基本変形を行って相異なる形に変形された検査行列をそれぞれ用いてＬＤＰＣ復号し、第１データ系列の尤度比と第２データ系列の尤度比を求め、前記第２判定手段は、前記第２復号手段が求めた第１データ系列の尤度比と第２データ系列の尤度比に基づいて、第１データ系列と第２データ系列とをそれぞれ求め、
前記反復復号処理を繰り返し、この繰り返し毎に、前記第２復号手段は、前回の反復復号処理と異なる形に行基本変形された検査行列を用いてＬＤＰＣ復号することを特徴とする請求項１に記載の受信装置。
【請求項８】
反復復号処理として、前記ソフトレプリカ信号生成手段が、前記第２復号手段が求めた第１データ系列の尤度比と第２データ系列の尤度比と、前記伝搬路推定手段の推定結果に基づいて、ソフトレプリカ信号を生成し、前記軟判定出力手段が前記受信信号より前記ソフトレプリカ信号生成手段が生成したソフトレプリカ信号を除去した残留信号に基づいて、第１データ系列と第２データ系列の各受信尤度値を求め、前記第２復号手段が前記軟判定出力手段が求めた第１データ系列と第２データ系列の各受信尤度値を、行基本変形を行って相異なる形に変形された検査行列をそれぞれ用いてＬＤＰＣ復号し、第１データ系列の尤度比と第２データ系列の尤度比を求め、
前記反復復号処理を繰り返し、この繰り返し毎に、前記第２復号手段は、前回の反復復号処理と異なる形に行基本変形された検査行列を用いてＬＤＰＣ復号することを特徴とする請求項２に記載の受信装置。
【請求項９】
第１データ系列と第２データ系列がそれぞれＬＤＰＣ符号によって符号化されて、それぞれ異なるアンテナを通じて送信されるＭＩＭＯシステムで用いられる復調方法において、
異なるアンテナを通じて受信した複数の受信信号について、それぞれ伝搬路を推定する伝搬路推定工程と、
この伝搬路推定工程の推定結果に基づいて、受信信号を第１データ系列の信号と第２データ系列の信号に分離する空間フィルタリング工程と、
この空間フィルタリング工程で分離された第１データ系列の信号と第２データ系列の信号を、行基本変形を行って相異なる形に変形された検査行列をそれぞれ用いてＬＤＰＣ復号し、第１データ系列の尤度比と第２データ系列の尤度比を求める第１復号工程と、
この第１復号工程で求めた第１データ系列の尤度比と第２データ系列の尤度比に基づいて、第１データ系列と第２データ系列とをそれぞれ求める第１判定工程と、
この第１判定工程で求めた第１データ系列と第２データ系列と、前記伝搬路推定工程の推定結果に基づいて、レプリカ信号を生成するレプリカ信号生成工程と、
前記受信信号より前記レプリカ信号生成工程で生成したレプリカ信号を除去した残留信号に基づいて、第１データ系列と第２データ系列の各受信尤度値を求める軟判定出力工程と、
この軟判定出力工程で求めた第１データ系列と第２データ系列の各受信尤度値を、行基本変形を行って相異なる形に変形された検査行列をそれぞれ用いてＬＤＰＣ復号し、第１データ系列の尤度比と第２データ系列の尤度比を求める第２復号工程と、
この第２復号工程で求めた第１データ系列の尤度比と第２データ系列の尤度比に基づいて、第１データ系列と第２データ系列とをそれぞれ求める第２判定工程とを具備することを特徴とする復調方法。
【請求項１０】
第１データ系列と第２データ系列がそれぞれＬＤＰＣ符号によって符号化されて、それぞれ異なるアンテナを通じて送信されるＭＩＭＯシステムで用いられる復調方法において、
異なるアンテナを通じて受信した複数の受信信号について、それぞれ伝搬路を推定する伝搬路推定工程と、
この伝搬路推定工程の推定結果に基づいて、受信信号を第１データ系列の信号と第２データ系列の信号に分離する空間フィルタリング工程と、
この空間フィルタリング工程で分離された第１データ系列の信号と第２データ系列の信号を、行基本変形を行って相異なる形に変形された検査行列をそれぞれ用いてＬＤＰＣ復号し、第１データ系列の尤度比と第２データ系列の尤度比を求める第１復号工程と、
この第１復号工程で求めた第１データ系列の尤度比と第２データ系列の尤度比と、前記伝搬路推定工程の推定結果に基づいて、ソフトレプリカ信号を生成するソフトレプリカ信号生成工程と、
前記受信信号より前記ソフトレプリカ信号生成工程で生成したソフトレプリカ信号を除去した残留信号に基づいて、第１データ系列と第２データ系列の各受信尤度値を求める軟判定出力工程と、
この軟判定出力工程で求めた第１データ系列と第２データ系列の各受信尤度値を、行基本変形を行って相異なる形に変形された検査行列をそれぞれ用いてＬＤＰＣ復号し、第１データ系列の尤度比と第２データ系列の尤度比を求める第２復号工程と、
この第２復号工程で求めた第１データ系列の尤度比と第２データ系列の尤度比に基づいて、第１データ系列と第２データ系列とをそれぞれ求める判定工程とを具備することを特徴とする復調方法。
【請求項１１】
前記第２復号工程は、軟判定出力工程で求めた第１データ系列と第２データ系列の各受信尤度値を、行基本変形を行って相異なる形に変形された検査行列をそれぞれ用いてＬＤＰＣ復号する復号処理を、繰り返し実施して、第１データ系列の尤度比と第２データ系列の尤度比を求めることを特徴とする請求項９または請求項１０に記載の復調方法。
【請求項１２】
さらに、前記空間フィルタリング工程で分離された第１データ系列の信号と第２データ系列の信号の各ＲＳＳＩを測定する測定工程を備え、
前記第２復号工程は、前記復号処理を、前記測定工程で測定したＲＳＳＩに応じた回数だけ実施して、第１データ系列の尤度比と第２データ系列の尤度比を求めることを特徴とする請求項１１に記載の復調方法。
【請求項１３】
さらに、前記第２復号工程で繰り返し実施される復号処理で順次得られる尤度比を比較して、その更新量を求める検出工程を備え、
前記第２復号工程は、前記検出工程で検出した更新量に応じて前記復号処理を繰り返し実施して、第１データ系列の尤度比と第２データ系列の尤度比を求めることを特徴とする請求項１１に記載の復調方法。
【請求項１４】
さらに、前記第２復号工程で繰り返し実施される復号処理で順次得られる尤度比を比較して、その更新量を求める検出工程を備え、
前記第２復号工程は、前記復号処理を、前記検出工程で検出した更新量が予め設定した閾値未満になるまで繰り返し実施して、第１データ系列の尤度比と第２データ系列の尤度比を求めることを特徴とする請求項１１に記載の復調方法。
【請求項１５】
反復復号処理として、前記第２判定工程で求めた第１データ系列と第２データ系列と、前記伝搬路推定工程の推定結果に基づいて、レプリカ信号を生成するレプリカ信号生成工程と、前記受信信号より前記レプリカ信号生成工程で生成したレプリカ信号を除去した残留信号に基づいて、第１データ系列と第２データ系列の各受信尤度値を求める軟判定出力工程と、この軟判定出力工程で求めた第１データ系列と第２データ系列の各受信尤度値を、行基本変形を行って相異なる形に変形された検査行列をそれぞれ用いてＬＤＰＣ復号し、第１データ系列の尤度比と第２データ系列の尤度比を求める第２復号工程と、この第２復号工程で求めた第１データ系列の尤度比と第２データ系列の尤度比に基づいて、第１データ系列と第２データ系列とをそれぞれ求める第２判定工程とを繰り返し、
前記反復復号処理を繰り返す毎に、前記第２復号工程で、前回の反復復号処理と異なる形に行基本変形された検査行列を用いてＬＤＰＣ復号することを特徴とする請求項９に記載の復調方法。
【請求項１６】
反復復号処理として、前記第２復号工程で求めた第１データ系列の尤度比と第２データ系列の尤度比と、前記伝搬路推定工程の推定結果に基づいて、ソフトレプリカ信号を生成するソフトレプリカ信号生成工程と、前記受信信号より前記ソフトレプリカ信号生成工程で生成したソフトレプリカ信号を除去した残留信号に基づいて、第１データ系列と第２データ系列の各受信尤度値を求める軟判定出力工程と、この軟判定出力工程で求めた第１データ系列と第２データ系列の各受信尤度値を、行基本変形を行って相異なる形に変形された検査行列をそれぞれ用いてＬＤＰＣ復号し、第１データ系列の尤度比と第２データ系列の尤度比を求める第２復号工程とを繰り返し、
前記反復復号処理を繰り返す毎に、前記第２復号工程で、前回の反復復号処理と異なる形に行基本変形された検査行列を用いてＬＤＰＣ復号することを特徴とする請求項１０に記載の復調方法。
【発明の詳細な説明】
【技術分野】
【０００１】
この発明は、ＭＩＭＯ（Multi-Input Multi-Output）システムで用いられる受信装置および復調方法に関する。
【背景技術】
【０００２】
複数の送信装置から同一時間および同一周波数で送信された送信信号を、複数のアンテナを持つ受信装置により受信するＭＩＭＯ（Multi-Input Multi-Output）システムがある。このシステムにおいて、各送信装置からそれぞれ送信された信号を受信信号から分離する方法として、空間フィルタリングや逐次判定復号法という受信方式が知られている（例えば、非特許文献１）。
【０００３】
ＭＩＭＯシステムでは、複数の送信装置において、それぞれ送信系列が誤り訂正符号化された後に送信され、一方、受信装置では、上記送信装置の数と同数、またはそれよりも多いアンテナ数で送信信号を受信し、各アンテナによって受信された信号にそれぞれ挿入されているパイロット信号に基づいてアンテナごとに伝搬路Hの推定を行う。
【０００４】
このようにして推定された伝搬路Ｈは、例えば送信装置が２つであり、また受信アンテナが２つである場合には、２×２の行列で表される。上記空間フィルタリングは、このようにして求めた伝搬路Ｈの逆行列を受信信号に乗算することにより、各送信された信号を求め、そして誤り訂正復号を行うことにより、送信系列を得る方法である。
【０００５】
また上記逐次判定復号法は、更に、空間フィルタリングにより得られた一方の信号に対し伝搬路行列を乗算し、レプリカ信号を作成した後、そのレプリカ信号を空間フィルタリング以前の受信信号へフィードバックし、受信信号からレプリカ信号を減算することによって、他方の復調特性を向上させるというものである。
【０００６】
しかしながら、伝搬路間の相関が高い場合、空間フィルタリングによって信号を高精度に分離できないことがある。この場合、逐次判定復号法を用いてレプリカ信号のフィードバックを行ったとしても、受信特性が向上しない。
【０００７】
これに対して従来は、各送信装置の送信信号に異なるパタンのインタリーバを適用し、空間的な相関性に起因する特性劣化を低減させていた（例えば、特許文献１および非特許文献２）。しかし、このようなインターリーブの採用は、大きなメモリを持つ必要があるため、送信装置および受信装置の構成を複雑にし、装置の小型化や低消費電力化の妨げになるという問題があった。
【特許文献１】特開２００３−３２２２６公報
【非特許文献１】P.W. Wolniansky, G.J. Foschini, G.D. Golden, R.A. Valenzuela, “V-BLAST: An Architecture for Realizing Very High Data Rates Over the Rich-scattering Wireless Channel” invited paper, Proc. ISSSE-98, Pisa, Italy, Sept. 29, 1998
【非特許文献２】村上他「MIMOシステムにおける信号点削除を用いた反復復号のインタリーブ適用に関する検討」信学技報 RCS2004-8
【発明の開示】
【発明が解決しようとする課題】
【０００８】
従来のＭＩＭＯシステムでは、伝搬路間の相関が高い場合に対応するために、インターリーブを採用して受信特性を向上させるようにしているが、このようなインターリーブの採用は、大きなメモリを持つ必要があるため、送信装置および受信装置の構成を複雑にし、装置の小型化や低消費電力化の妨げになるという問題があった。
【０００９】
この発明は上記の問題を解決すべくなされたもので、インターリーブを用いずに空間的な相関性に起因する特性劣化を防ぎ、小型で低消費電力化を実現する受信装置および復調方法を提供することを目的とする。
【課題を解決するための手段】
【００１０】
上記の目的を達成するために、この発明は、第１データ系列と第２データ系列がそれぞれＬＤＰＣ符号によって符号化されて、それぞれ異なるアンテナを通じて送信されるＭＩＭＯシステムで用いられる受信装置において、異なるアンテナを通じて受信した複数の受信信号について、それぞれ伝搬路を推定する伝搬路推定手段と、この伝搬路推定手段の推定結果に基づいて、受信信号を第１データ系列の信号と第２データ系列の信号に分離する空間フィルタリング手段と、この空間フィルタリング手段で分離された第１データ系列の信号と第２データ系列の信号を、行基本変形を行って相異なる形に変形された検査行列をそれぞれ用いてＬＤＰＣ復号し、第１データ系列の尤度比と第２データ系列の尤度比を求める第１復号手段と、この第１復号手段が求めた第１データ系列の尤度比と第２データ系列の尤度比に基づいて、第１データ系列と第２データ系列とをそれぞれ求める第１判定手段と、この第１判定手段が求めた第１データ系列と第２データ系列と、伝搬路推定手段の推定結果に基づいて、レプリカ信号を生成するレプリカ信号生成手段と、受信信号よりレプリカ信号生成手段が生成したレプリカ信号を除去した残留信号に基づいて、第１データ系列と第２データ系列の各受信尤度値を求める軟判定出力手段と、この軟判定出力手段が求めた第１データ系列と第２データ系列の各受信尤度値を、行基本変形を行って相異なる形に変形された検査行列をそれぞれ用いてＬＤＰＣ復号し、第１データ系列の尤度比と第２データ系列の尤度比を求める第２復号手段と、この第２復号手段が求めた第１データ系列の尤度比と第２データ系列の尤度比に基づいて、第１データ系列と第２データ系列とをそれぞれ求める第２判定手段とを具備して構成するようにした。
【発明の効果】
【００１１】
この発明によれば、インターリーブを用いずに空間的な相関性に起因する特性劣化を防ぎ、小型で低消費電力化を実現する受信装置および復調方法を提供できる。
【発明を実施するための最良の形態】
【００１２】
以下、図面を参照しながら、この発明の実施形態について詳細に説明する。なお、以下の説明では、この発明の主旨を簡明にするために、２×２ＭＩＭＯ（送信側のアンテナ数が２本、受信側のアンテナ数が２本のＭＩＭＯ）を例に上げて説明するが、受信側のアンテナ数が送信側のアンテナ数と同じかそれ以上であれば、本発明はアンテナ数（２×２ＭＩＭＯ）によらず実施できる。
【００１３】
また送信装置は、送信系列毎にＬＤＰＣ（低密度パリティ検査／Low Density Parity Check）符号化を行った後、ストリーム毎に同じまたは異なる変調を行い、異なるアンテナまたは異なる送信ビーム形成し空間多重して送信する。このとき、ＭＩＭＯ通信により多重される送信信号の単位をストリームと呼ぶ。
【００１４】
図１は、この発明の第１の実施形態に係るＭＩＭＯ受信装置の構成を示すブロック図である。同図を用いて各ブロックを具体的に説明する。図１において、アンテナ１０１，１０２は、それぞれ異なる伝搬路を通って到来した信号を空間から受信する。なお、アンテナ１０１，１０２がそれぞれ受信する信号は、異なる２つの送信信号（ストリームａ，ｂ）が空間多重された信号である。
【００１５】
伝搬路推定部１１１は、アンテナ１０１にて受信した信号に含まれる既知信号等を用いて伝搬路を推定し、伝搬路行列Ｈを作成する。同様に、伝搬路推定部１１２は、アンテナ１０２にて受信した信号に含まれる既知信号等を用いて伝搬路を推定し、伝搬路行列Ｈを作成する。なお、伝搬路行列Ｈは受信アンテナ数の行数と、送信アンテナ数の列数で定義される行列で、各送信アンテナからそれぞれの受信アンテナへの伝搬路応答ベクトルにより構成される。
【００１６】
空間フィルタリング部１２１は、伝搬路推定部１１１，１１２でそれぞれ求められた伝搬路行列Ｈを用いて、アンテナ１０１，１０２がそれぞれ受信した受信信号を、空間多重される前の送信信号に分離する。
【００１７】
ＬＤＰＣ復号部１３１，１３２は、行基本変形を行い相異なる形に変形された検査行列（以下、変形検査行列と称する）P_a,P_bをそれぞれ持ち、各変形検査行列P_a,P_bを用いて、空間フィルタリング部１２１にて得られる分離された信号をＬＤＰＣ復号し、各ストリームａ，ｂの尤度比を求める。
【００１８】
このために、まずＬＤＰＣ復号部１３１，１３２は、仮判定処理を実施し、その後、本判定処理を実行する。仮判定処理においてＬＤＰＣ復号部１３１，１３２は、それぞれ対応する変形検査行列P_a,P_bを用いて、空間フィルタリング部１２１にて得られる分離された信号をＬＤＰＣ復号し、ストリームａ，ｂの尤度比を求める。
【００１９】
その後の本判定処理においてＬＤＰＣ復号部１３１は、変形検査行列P_aを用いて、後述する軟判定値出力部１５１，１５２で求められる受信尤度値をＬＤＰＣ復号し、ストリームａの尤度比を求める。
【００２０】
同様に、本判定処理においてＬＤＰＣ復号部１３２は、変形検査行列P_bを用いて、後述する軟判定値出力部１５３，１５４で求められる受信尤度値をＬＤＰＣ復号し、ストリームｂの尤度比を求める。なお、上記ＬＤＰＣ復号部１３１，１３２で求められる尤度比は、例えば０．３や０．７といった軟値である。
【００２１】
判定部１６１は、ＬＤＰＣ復号部１３１で得られた尤度比をバイナリ判定し、ストリームａを構成する情報系列を得る。具体的には尤度比が対数で定義された対数尤度比の場合、尤度比が正の値の際には１を、負の値の場合には０と判定する。同様にして、判定部１６２は、ＬＤＰＣ復号部１３２で得られた尤度比をバイナリ判定し、ストリームｂを構成する情報系列を得る。なお、上記判定部１６１，１６２で求められる情報系列は、０や１といった硬値である。
【００２２】
レプリカ生成部１４１は、伝搬路推定部１１１で推定された伝搬路情報と、判定部１６２より得られるストリームｂの情報系列とに基づいて、アンテナ１０１で受信されたストリームｂのレプリカ信号ｂ１を生成する。
【００２３】
また、レプリカ生成部１４２は、伝搬路推定部１１２で推定された伝搬路情報と、判定部１６２より得られるストリームｂの情報系列とに基づいて、アンテナ１０２で受信されたストリームｂのレプリカ信号ｂ２を生成する。
【００２４】
同様に、レプリカ生成部１４３は、伝搬路推定部１１１で推定された伝搬路情報と、判定部１６１より得られるストリームａの情報系列とに基づいて、アンテナ１０１で受信されたストリームａのレプリカ信号ａ１を生成する。
【００２５】
また、レプリカ生成部１４４は、伝搬路推定部１１２で推定された伝搬路情報と、判定部１６１より得られるストリームａの情報系列とに基づいて、アンテナ１０２で受信されたストリームａのレプリカ信号ａ２を生成する。
【００２６】
軟判定値出力部１５１は、アンテナ１０１で受信された信号から上記レプリカ信号ｂ１を減じて残留信号Ｒｂ１を得て、この残留信号Ｒｂ１と伝搬路推定部１１１で得られる伝搬路行列Ｈに基づいて、受信尤度値を求める。
【００２７】
また、軟判定値出力部１５２は、アンテナ１０２で受信された信号から上記レプリカ信号ｂ２を減じて残留信号Ｒｂ２を得て、この残留信号Ｒｂ２と伝搬路推定部１１２で得られる伝搬路行列Ｈに基づいて、受信尤度値を求める。
【００２８】
同様に、軟判定値出力部１５３は、アンテナ１０１で受信された信号から上記レプリカ信号ａ１を減じて残留信号Ｒａ１を得て、この残留信号Ｒａ１と伝搬路推定部１１１で得られる伝搬路行列Ｈに基づいて、受信尤度値を求める。
【００２９】
また、軟判定値出力部１５４は、アンテナ１０２で受信された信号から上記レプリカ信号ａ２を減じて残留信号Ｒａ２を得て、この残留信号Ｒａ２と伝搬路推定部１１２で得られる伝搬路行列Ｈに基づいて、受信尤度値を求める。
【００３０】
次に、上記構成のＭＩＭＯ受信装置の動作について説明する。  
アンテナ１０１，１０２で受信された信号は、それぞれ対応する伝搬路推定部１１１，１１２に入力され、ここで、受信信号に含まれる既知信号等を用いて伝搬路行列Ｈが推定される。
【００３１】
このようにして推定された伝搬路行列Ｈは、空間フィルタリング部１２１にて、アンテナ１０１，１０２が受信した受信信号からそれぞれストリームａ，ｂを分離するのに用いられる。この時のＭＩＭＯ分離アルゴリズムとしては、ＺＦ（Zero Forcing）法や、ＭＭＳＥ（Minimum Mean Square Error）法等が用いられる。
【００３２】
空間フィルタリング部１２１にて分離された各ストリームａ，ｂは、ＬＤＰＣ復号部１３１，１３２の仮判定処理により、それぞれの変形基本行列P_a,P_bが用いられてＬＤＰＣ復号処理が行われる。
【００３３】
この仮判定処理によるＬＤＰＣ復号処理により各ストリームａ，ｂの尤度比が導出される。ＬＤＰＣ復号部１３１，１３２にて求められた各ストリームａ，ｂの尤度比は、判定部１６１，１６２において、各ストリームａ，ｂの情報系列の仮判定に用いられる。
【００３４】
続いて、レプリカ信号を、送信ストリーム数×受信アンテナ数の数分だけ生成するために、この例では４つのレプリカ生成部１４１〜１４４が用いられ、アンテナ１０１で受信されたストリームｂのレプリカ信号ｂ１、アンテナ１０２で受信されたストリームｂのレプリカ信号ｂ２、アンテナ１０１で受信されたストリームａのレプリカ信号ａ１、およびアンテナ１０２で受信されたストリームａのレプリカ信号ａ２が求められる。
【００３５】
次に、アンテナ１０１，１０２が受信した受信信号から上記レプリカ信号ａ１，ａ２，ｂ１，ｂ２をそれぞれ除去して、残留信号Ｒａ１，Ｒａ２，Ｒｂ１，Ｒａ２を得る。そしてこれらの残留信号Ｒａ１，Ｒａ２，Ｒｂ１，Ｒａ２と、伝搬路推定部１１１，１１２で得られる伝搬路行列Ｈとに基づいて、軟判定値出力部１５１，１５２，１５３，１５４により受信尤度値が得られる。
【００３６】
このようにして、受信尤度値が求められると、ＬＤＰＣ復号部１３１，１３２が本判定処理を実施する。すなわち、ＬＤＰＣ復号部１３１においては、変形検査行列P_aが用いられて、軟判定値出力部１５１，１５２で求められた受信尤度値がＬＤＰＣ復号され、ストリームａの尤度比が求められる。同様に、ＬＤＰＣ復号部１３２の本判定処理では、変形検査行列P_bが用いられて、軟判定値出力部１５３，１５４で求められる受信尤度値がＬＤＰＣ復号され、ストリームｂの尤度比が求められる。
【００３７】
そして、ＬＤＰＣ復号部１３１の本判定処理によって求められたストリームａの尤度比は、判定部１６１によりバイナリ判定され、ストリームａを構成する情報系列が得られる。具体的には尤度比が対数で定義された対数尤度比の場合、尤度比が正の値の際には１を、負の値の場合には０と判定する。同様にして、ＬＤＰＣ復号部１３２の本判定処理によって求められたストリームｂの尤度比は、判定部１６２によりバイナリ判定され、ストリームｂを構成する情報系列が得られる。
【００３８】
なお、ＬＤＰＣ復号部１３１，１３２は、それぞれ対応するストリームのパリティをチェックして誤りが無くなったか否かを判定し、誤りが無くなった場合には、その旨を判定部１６１，１６２に通知して、情報系列を後段のデータ処理部に出力させる。
【００３９】
このようにストリームａ，ｂが多重された受信信号から、レプリカ信号を除去して得られる残留信号をＬＤＰＣ復号することによって、空間フィルタリング部１２１による空間フィルタリングで分離し復調するよりも、ダイバーシティゲインを得ることができ、復調特性が向上する。
【００４０】
以上のように、上記構成のＭＩＭＯ受信装置では、復号初期においてＬＤＰＣ復号部１３１，１３２がまず仮判定処理を実施し、これによって得られた受信信号の仮判定結果を用いて、レプリカ生成部１４１〜１４４がレプリカ信号を生成する。そして、このレプリカ信号を受信信号から除去して得られる残留信号と、受信信号とを用いて、軟判定値出力部１５１〜１５４が受信尤度値を求める。その後、ＬＤＰＣ復号部１３１，１３２が本判定処理を実施し、上記受信尤度値をＬＤＰＣ復号して各ストリームａ，ｂの尤度比を求めて、これを判定部１６１，１６２でバイナリ判定し、各ストリームａ，ｂの情報系列を得るようにしている。
【００４１】
したがって、上記構成のＭＩＭＯ受信装置によれば、仮判定処理によって得られた復号結果に基づくレプリカ信号を軟判定値出力部１５１〜１５４にフィードバックして本判定処理を実行するようにしているので、良好な受信特性を得ることができる。
【００４２】
なお、レプリカ信号を生成するフィードバック処理は、任意の回数だけ繰り返すようにしてもよい。ＬＤＰＣ符号は、パリティ部分をチェックすることによって、復号結果に誤りがあるかどうかの判定をすることができる。このため、ＬＤＰＣ復号部１３１，１３２が各ストリームのパリティをチェックし、復号結果に誤りが無い状態になるまで、上記フィードバック処理を繰り返し行うようにしてもよい。
【００４３】
この場合、ＬＤＰＣ復号部１３１，１３２が各ストリームのパリティをチェックして誤りが無くなったか否かを判定し、誤りが存在する場合には、判定部１６１，１６２を制御してその出力をフィードバックさせてレプリカ信号を生成させ、一方、誤りが無くなった場合には、判定部１６１，１６２の出力を後段のデータ処理部に出力するようにすることで、フィードバック処理が実現できる。
【００４４】
また上記構成のＭＩＭＯ受信装置では、ＬＤＰＣ復号部１３１，１３２におけるＬＤＰＣ復号では、検査行列に行基本変形された相異なる検査行列を用いるようにしているので、ストリームａ，ｂ間の空間的な相関を低減することができる。このため、上記構成のＭＩＭＯ受信装置によれば、伝搬路に相関があり、従来のフィードバック処理の繰り返しによって特性が向上しない場合においても、良好な特性を得ることができる。なお、ＬＤＰＣ復号部１３１，１３２が復号時に用いる変形検査行列P_a,P_bは、フィードバック処理の繰り返し毎に、対応する変形検査行列をP_b,P_aのように交換したり、あるいは異なる変形検査行列P_c,P_dのように変更してもよい。
【００４５】
ここで、行基本変形されたＬＤＰＣ検査行列について説明する。ＬＤＰＣ符号で用いられる検査行列を図２に示し、これに対応する２部グラフを図３に示す。図２に示す検査行列の行ベクトルは、図３の２部グラフの変数ノード（上側のノード）に対応し、列ベクトルが検査ノード（下側のノード）に対応する。ＬＤＰＣ符号では、この２部グラフの構成が特性に大きく影響する。
【００４６】
図２の検査行列に対して行ベクトルに演算処理を行なったものを考える。図４は、図２の検査行列の1行目を２行目と４行目に加算した場合の検査行列の構成を示すものであり、図５は、これに対応する２部グラフを示している。
【００４７】
ここで、図３の２部グラフと図５の２部グラフを比較すると、両者は構成が異なっているが、それぞれの検査行列の行列式は同じものである。この場合、図２の検査行列から得られた生成行列によって符号化された符号化系列は、図２の検査行列によっても、図４の検査行列によっても復号することが可能である。
【００４８】
しかし、これら二つの検査行列で復号された符号系列の誤り率特性は異なる。これは、復号処理の際に利用する尤度情報のやりとりを行うビット同士が変化することに起因する。当該第１の実施形態では、この特徴を利用し、ストリーム毎に行基本変形を施した相異なる検査行列を用いることによって、ストリーム間の空間的な相関を低減することを可能としている。
【００４９】
次に、この発明の第２の実施形態に係るＭＩＭＯ受信装置について説明する。図６はその構成を示すブロック図である。同図を用いて各ブロックを具体的に説明する。図６において、アンテナ１０１，１０２は、それぞれ異なる伝搬路を通って到来した信号を空間から受信する。なお、アンテナ１０１，１０２がそれぞれ受信する信号は、異なる２つの送信信号（ストリームａ，ｂ）が空間多重された信号である。
【００５０】
伝搬路推定部１１１は、アンテナ１０１にて受信した信号に含まれる既知信号等を用いて伝搬路を推定し、伝搬路行列Ｈを作成する。同様に、伝搬路推定部１１２は、アンテナ１０２にて受信した信号に含まれる既知信号等を用いて伝搬路を推定し、伝搬路行列Ｈを作成する。なお、伝搬路行列Ｈは受信アンテナ数の行数と、送信アンテナ数の列数で定義される行列で、各送信アンテナからそれぞれの受信アンテナへの伝搬路応答ベクトルにより構成される。
【００５１】
空間フィルタリング部１２１は、伝搬路推定部１１１，１１２でそれぞれ求められた伝搬路行列Ｈを用いて、アンテナ１０１，１０２がそれぞれ受信した受信信号を、空間多重される前の送信信号に分離する。
【００５２】
ＬＤＰＣ復号部１３１，１３２は、行基本変形を行い相異なる形に変形された検査行列（以下、変形検査行列と称する）P_a,P_bをそれぞれ持ち、各変形検査行列P_a,P_bを用いて、空間フィルタリング部１２１にて得られる分離された信号をＬＤＰＣ復号し、各ストリームａ，ｂの尤度比を求める。
【００５３】
このために、まずＬＤＰＣ復号部１３１，１３２は、仮判定処理を実施し、その後、本判定処理を実行する。仮判定処理においてＬＤＰＣ復号部１３１，１３２は、それぞれ対応する変形検査行列P_a,P_bを用いて、空間フィルタリング部１２１にて得られる分離された信号をＬＤＰＣ復号し、ストリームａ，ｂの尤度比を求める。
【００５４】
その後の本判定処理においてＬＤＰＣ復号部１３１は、変形検査行列P_aを用いて、後述する軟判定値出力部１５１，１５２で求められる受信尤度値をＬＤＰＣ復号し、ストリームａの尤度比を求める。
【００５５】
同様に、本判定処理においてＬＤＰＣ復号部１３２は、変形検査行列P_bを用いて、後述する軟判定値出力部１５３，１５４で求められる受信尤度値をＬＤＰＣ復号し、ストリームｂの尤度比を求める。なお、上記ＬＤＰＣ復号部１３１，１３２で求められる尤度比は、例えば０．３や０．７といった軟値である。
【００５６】
判定部１６１は、ＬＤＰＣ復号部１３１で得られた尤度比をバイナリ判定し、ストリームａを構成する情報系列を得る。具体的には尤度比が対数で定義された対数尤度比の場合、尤度比が正の値の際には１を、負の値の場合には０と判定する。同様にして、判定部１６２は、ＬＤＰＣ復号部１３２で得られた尤度比をバイナリ判定し、ストリームｂを構成する情報系列を得る。なお、上記判定部１６１，１６２で求められる情報系列は、０や１といった硬値である。
【００５７】
ソフトレプリカ生成部２４１は、伝搬路推定部１１１で推定された伝搬路情報と、ＬＤＰＣ復号部１３２より得られるストリームｂの尤度比とに基づいて、アンテナ１０１で受信されたストリームｂのソフトレプリカ信号Ｓｂ１を生成する。
【００５８】
また、ソフトレプリカ生成部２４２は、伝搬路推定部１１２で推定された伝搬路情報と、ＬＤＰＣ復号部１３２より得られるストリームｂの尤度比とに基づいて、アンテナ１０２で受信されたストリームｂのソフトレプリカ信号Ｓｂ２を生成する。
【００５９】
同様に、ソフトレプリカ生成部２４３は、伝搬路推定部１１１で推定された伝搬路情報と、ＬＤＰＣ復号部１３１より得られるストリームａの尤度比とに基づいて、アンテナ１０１で受信されたストリームａのソフトレプリカ信号Ｓａ１を生成する。
【００６０】
また、ソフトレプリカ生成部２４４は、伝搬路推定部１１２で推定された伝搬路情報と、ＬＤＰＣ復号部１３１より得られるストリームａの尤度比とに基づいて、アンテナ１０２で受信されたストリームａのソフトレプリカ信号Ｓａ２を生成する。
【００６１】
軟判定値出力部１５１は、アンテナ１０１で受信された信号から上記ソフトレプリカ信号Ｓｂ１を減じて残留信号Ｒｂ１を得て、この残留信号Ｒｂ１と伝搬路推定部１１１で得られる伝搬路行列Ｈに基づいて、受信尤度値を求める。
【００６２】
また、軟判定値出力部１５２は、アンテナ１０２で受信された信号から上記ソフトレプリカ信号Ｓｂ２を減じて残留信号Ｒｂ２を得て、この残留信号Ｒｂ２と伝搬路推定部１１２で得られる伝搬路行列Ｈに基づいて、受信尤度値を求める。
【００６３】
同様に、軟判定値出力部１５３は、アンテナ１０１で受信された信号から上記ソフトレプリカ信号Ｓａ１を減じて残留信号Ｒａ１を得て、この残留信号Ｒａ１と伝搬路推定部１１１で得られる伝搬路行列Ｈに基づいて、受信尤度値を求める。
【００６４】
また、軟判定値出力部１５４は、アンテナ１０２で受信された信号から上記ソフトレプリカ信号Ｓａ２を減じて残留信号Ｒａ２を得て、この残留信号Ｒａ２と伝搬路推定部１１２で得られる伝搬路行列Ｈに基づいて、受信尤度値を求める。
【００６５】
次に、上記構成のＭＩＭＯ受信装置の動作について説明する。  
アンテナ１０１，１０２で受信された信号は、それぞれ対応する伝搬路推定部１１１，１１２に入力され、ここで、受信信号に含まれる既知信号等を用いて伝搬路行列Ｈが推定される。
【００６６】
このようにして推定された伝搬路行列Ｈは、空間フィルタリング部１２１にて、アンテナ１０１，１０２が受信した受信信号からそれぞれストリームａ，ｂを分離するのに用いられる。この時のＭＩＭＯ分離アルゴリズムとしては、ＺＦ法や、ＭＭＳＥ法等が用いられる。
【００６７】
空間フィルタリング部１２１にて分離された各ストリームａ，ｂは、ＬＤＰＣ復号部１３１，１３２の仮判定処理により、それぞれの変形基本行列P_a,P_bが用いられてＬＤＰＣ復号処理が行われる。
【００６８】
この仮判定処理によるＬＤＰＣ復号処理により各ストリームａ，ｂの尤度比が導出される。ＬＤＰＣ復号部１３１，１３２にて求められた各ストリームａ，ｂの尤度比は、ソフトレプリカ生成部２４１〜２４４において、各ソフトレプリカ信号Ｓａ１，ａ２，ｂ１，ｂ２の生成に用いられる。
【００６９】
ソフトレプリカ信号を、送信ストリーム数×受信アンテナ数の数分だけ生成するために、この例では４つのソフトレプリカ生成部２４１〜２４４が用いられ、アンテナ１０１で受信されたストリームｂのソフトレプリカ信号Ｓｂ１、アンテナ１０２で受信されたストリームｂのソフトレプリカ信号Ｓｂ２、アンテナ１０１で受信されたストリームａのソフトレプリカ信号Ｓａ１、およびアンテナ１０２で受信されたストリームａのソフトレプリカ信号Ｓａ２が求められる。
【００７０】
次に、アンテナ１０１，１０２が受信した受信信号から上記ソフトレプリカ信号Ｓａ１，ａ２，ｂ１，ｂ２をそれぞれ除去して、残留信号Ｒａ１，Ｒａ２，Ｒｂ１，Ｒａ２を得る。そしてこれらの残留信号Ｒａ１，Ｒａ２，Ｒｂ１，Ｒａ２と、伝搬路推定部１１１，１１２で得られる伝搬路行列Ｈとに基づいて、軟判定値出力部１５１，１５２，１５３，１５４により受信尤度値が得られる。
【００７１】
このようにして、受信尤度値が求められると、ＬＤＰＣ復号部１３１，１３２が本判定処理を実施する。すなわち、ＬＤＰＣ復号部１３１においては、変形検査行列P_aが用いられて、軟判定値出力部１５１，１５２で求められた受信尤度値がＬＤＰＣ復号され、ストリームａの尤度比が求められる。同様に、ＬＤＰＣ復号部１３２の本判定処理では、変形検査行列P_bが用いられて、軟判定値出力部１５３，１５４で求められる受信尤度値がＬＤＰＣ復号され、ストリームｂの尤度比が求められる。
【００７２】
そして、ＬＤＰＣ復号部１３１の本判定処理によって求められたストリームａの尤度比は、判定部１６１によりバイナリ判定され、ストリームａを構成する情報系列が得られる。同様にして、ＬＤＰＣ復号部１３２の本判定処理によって求められたストリームｂの尤度比は、判定部１６２により具体的には尤度比が対数で定義された対数尤度比の場合、尤度比が正の値の際には１を、負の値の場合には０と判定する。バイナリ判定され、ストリームｂを構成する情報系列が得られる。
【００７３】
なお、ＬＤＰＣ復号部１３１，１３２は、それぞれ対応するストリームのパリティをチェックして誤りが無くなったか否かを判定し、誤りが無くなった場合には、その旨を判定部１６１，１６２に通知して、情報系列を後段のデータ処理部に出力させる。
【００７４】
このようにストリームａ，ｂが多重された受信信号から、ソフトレプリカ信号を除去して得られる残留信号をＬＤＰＣ復号することによって、空間フィルタリング部１２１による空間フィルタリングで分離し復調するよりも、ダイバーシティゲインを得ることができ、復調特性が向上する。
【００７５】
以上のように、上記構成のＭＩＭＯ受信装置では、復号初期においてＬＤＰＣ復号部１３１，１３２がまず仮判定処理を実施し、これによって得られた受信信号の仮判定結果を用いて、ソフトレプリカ生成部２４１〜２４４がソフトレプリカ信号を生成する。そして、このソフトレプリカ信号を受信信号から除去して得られる残留信号と、受信信号とを用いて、軟判定値出力部１５１〜１５４が受信尤度値を求める。その後、ＬＤＰＣ復号部１３１，１３２が本判定処理を実施し、上記受信尤度値をＬＤＰＣ復号して各ストリームａ，ｂの尤度比を求めて、これを判定部１６１，１６２でバイナリ判定し、各ストリームａ，ｂの情報系列を得るようにしている。
【００７６】
したがって、上記構成のＭＩＭＯ受信装置によれば、仮判定処理によって得られた復号結果に基づくソフトレプリカ信号を軟判定値出力部１５１〜１５４にフィードバックして本判定処理を実行するようにしているので、良好な受信特性を得ることができる。
【００７７】
さらに、上記構成のＭＩＭＯ受信装置では、尤度比より得られる軟値によるソフトレプリカ信号を用いることで、誤判定による干渉生成を防ぐことができ、第１の実施形態のＭＩＭＯ受信装置よりも、さらに良好な特性を得ることができる。
【００７８】
なお、本実施の形態では仮判定処理以降のフィードバックを任意の回数だけ繰り返すようにしてもよい。ＬＤＰＣ符号は、パリティ部分をチェックすることによって、復号結果に誤りがあるかどうかの判定をすることができる。このため、全てのストリームのパリティをチェックし、復号結果に誤りが無い状態になるまで、上記フィードバックを繰り返し行うようにしてもよい。この場合、全てのストリームのパリティをチェックするパリティ検査手段、復号結果に誤りが無くなったか否かを判定する判定手段、フィードバックを繰り返し実行するために、ＭＩＭＯ受信装置の各部を制御する制御手段を設けることで実現できる。
【００７９】
また上記構成のＭＩＭＯ受信装置では、ＬＤＰＣ復号部１３１，１３２におけるＬＤＰＣ復号では、検査行列に行基本変形された相異なる検査行列を用いるようにしているので、ストリームａ，ｂ間の空間的な相関を低減することができる。このため、上記構成のＭＩＭＯ受信装置によれば、伝搬路に相関があり、従来のフィードバック処理の繰り返しによって特性が向上しない場合においても、良好な特性を得ることができる。なお、ＬＤＰＣ復号部１３１，１３２が復号時に用いる変形検査行列P_a,P_bは、フィードバック処理の繰り返し毎に、対応する変形検査行列をP_b,P_aのように交換したり、あるいは異なる変形検査行列P_c,P_dのように変更してもよい。
【００８０】
次に、この発明の第３の実施形態に係るＭＩＭＯ受信装置について説明する。図７はその構成を示すブロック図である。同図を用いて各ブロックを具体的に説明する。図７において、アンテナ１０１，１０２は、それぞれ異なる伝搬路を通って到来した信号を空間から受信する。なお、アンテナ１０１，１０２がそれぞれ受信する信号は、異なる２つの送信信号（ストリームａ，ｂ）が空間多重された信号である。
【００８１】
伝搬路推定部１１１は、アンテナ１０１にて受信した信号に含まれる既知信号等を用いて伝搬路を推定し、伝搬路行列Ｈを作成する。同様に、伝搬路推定部１１２は、アンテナ１０２にて受信した信号に含まれる既知信号等を用いて伝搬路を推定し、伝搬路行列Ｈを作成する。なお、伝搬路行列Ｈは受信アンテナ数の行数と、送信アンテナ数の列数で定義される行列で、各送信アンテナからそれぞれの受信アンテナへの伝搬路応答ベクトルにより構成される。
【００８２】
空間フィルタリング部１２１は、伝搬路推定部１１１，１１２でそれぞれ求められた伝搬路行列Ｈを用いて、アンテナ１０１，１０２がそれぞれ受信した受信信号を、空間多重される前の送信信号に分離する。
【００８３】
ＲＳＳＩ測定部３７１は、空間フィルタリング部１２１にて得られる分離された信号の一方のＲＳＳＩ（Received Signal Strength Indicator）を測定する。同様に、ＲＳＳＩ測定部３７２は、空間フィルタリング部１２１にて得られる分離された信号の他方のＲＳＳＩを測定する。
【００８４】
閾値判定部３８１は、ＲＳＳＩ測定部３７１で測定したＲＳＳＩ値と、予め設定された閾値とを比較し、上記ＲＳＳＩ値に応じて後段のＬＤＰＣ復号部３３１におけるＬＤＰＣ復号の反復処理回数Ｃ１を決定する。具体的には、ＲＳＳＩ値が大きいほど、反復処理回数Ｃ１を少なくし、一方、ＲＳＳＩ値が小さいほど、反復処理回数Ｃ１を多くする。
【００８５】
同様に、閾値判定部３８２は、ＲＳＳＩ測定部３７２で測定したＲＳＳＩ値と、予め設定された閾値とを比較し、上記ＲＳＳＩ値に応じて後段のＬＤＰＣ復号部３３２におけるＬＤＰＣ復号の反復処理回数Ｃ２を決定する。具体的には、ＲＳＳＩ値が大きいほど、反復処理回数Ｃ２を少なくし、一方、ＲＳＳＩ値が小さいほど、反復処理回数Ｃ２を多くする。
【００８６】
ＬＤＰＣ復号部３３１，３３２は、行基本変形を行い相異なる形に変形された検査行列（以下、変形検査行列と称する）P_a,P_bをそれぞれ持ち、各変形検査行列P_a,P_bを用いて、空間フィルタリング部１２１にて得られる分離された信号をＬＤＰＣ復号し、各ストリームａ，ｂの尤度比を求める。
【００８７】
このために、まずＬＤＰＣ復号部３３１，３３２は、仮判定処理を実施し、その後、本判定処理を実行する。仮判定処理においてＬＤＰＣ復号部３３１，３３２は、それぞれ対応する変形検査行列P_a,P_bを用いて、空間フィルタリング部１２１にて得られる分離された信号を反復処理回数Ｃ１だけ繰り返してＬＤＰＣ復号し、ストリームａ，ｂの尤度比を求める。
【００８８】
その後の本判定処理においてＬＤＰＣ復号部３３１は、変形検査行列P_aを用いて、後述する軟判定値出力部１５１，１５２で求められる受信尤度値を、反復処理回数Ｃ１だけ繰り返してＬＤＰＣ復号し、ストリームａの尤度比を求める。
【００８９】
同様に、本判定処理においてＬＤＰＣ復号部３３２は、変形検査行列P_bを用いて、後述する軟判定値出力部１５３，１５４で求められる受信尤度値を、反復処理回数Ｃ２だけ繰り返してＬＤＰＣ復号し、ストリームｂの尤度比を求める。なお、上記ＬＤＰＣ復号部３３１，３３２で求められる尤度比は、例えば０．３や０．７といった軟値である。
【００９０】
判定部１６１は、ＬＤＰＣ復号部３３１で得られた尤度比をバイナリ判定し、ストリームａを構成する情報系列を得る。具体的には尤度比が対数で定義された対数尤度比の場合、尤度比が正の値の際には１を、負の値の場合には０と判定する。同様にして、判定部１６２は、ＬＤＰＣ復号部３３２で得られた尤度比をバイナリ判定し、ストリームｂを構成する情報系列を得る。なお、上記判定部１６１，１６２で求められる情報系列は、０や１といった硬値である。
【００９１】
レプリカ生成部１４１は、伝搬路推定部１１１で推定された伝搬路情報と、判定部１６２より得られるストリームｂの情報系列とに基づいて、アンテナ１０１で受信されたストリームｂのレプリカ信号ｂ１を生成する。
【００９２】
また、レプリカ生成部１４２は、伝搬路推定部１１２で推定された伝搬路情報と、判定部１６２より得られるストリームｂの情報系列とに基づいて、アンテナ１０２で受信されたストリームｂのレプリカ信号ｂ２を生成する。
【００９３】
同様に、レプリカ生成部１４３は、伝搬路推定部１１１で推定された伝搬路情報と、判定部１６１より得られるストリームａの情報系列とに基づいて、アンテナ１０１で受信されたストリームａのレプリカ信号ａ１を生成する。
【００９４】
また、レプリカ生成部１４４は、伝搬路推定部１１２で推定された伝搬路情報と、判定部１６１より得られるストリームａの情報系列とに基づいて、アンテナ１０２で受信されたストリームａのレプリカ信号ａ２を生成する。
【００９５】
軟判定値出力部１５１は、アンテナ１０１で受信された信号から上記レプリカ信号ｂ１を減じて残留信号Ｒｂ１を得て、この残留信号Ｒｂ１と伝搬路推定部１１１で得られる伝搬路行列Ｈに基づいて、受信尤度値を求める。
【００９６】
また、軟判定値出力部１５２は、アンテナ１０２で受信された信号から上記レプリカ信号ｂ２を減じて残留信号Ｒｂ２を得て、この残留信号Ｒｂ２と伝搬路推定部１１２で得られる伝搬路行列Ｈに基づいて、受信尤度値を求める。
【００９７】
同様に、軟判定値出力部１５３は、アンテナ１０１で受信された信号から上記レプリカ信号ａ１を減じて残留信号Ｒａ１を得て、この残留信号Ｒａ１と伝搬路推定部１１１で得られる伝搬路行列Ｈに基づいて、受信尤度値を求める。
【００９８】
また、軟判定値出力部１５４は、アンテナ１０２で受信された信号から上記レプリカ信号ａ２を減じて残留信号Ｒａ２を得て、この残留信号Ｒａ２と伝搬路推定部１１２で得られる伝搬路行列Ｈに基づいて、受信尤度値を求める。
【００９９】
次に、上記構成のＭＩＭＯ受信装置の動作について説明する。  
アンテナ１０１，１０２で受信された信号は、それぞれ対応する伝搬路推定部１１１，１１２に入力され、ここで、受信信号に含まれる既知信号等を用いて伝搬路行列Ｈが推定される。
【０１００】
このようにして推定された伝搬路行列Ｈは、空間フィルタリング部１２１にて、アンテナ１０１，１０２が受信した受信信号からそれぞれストリームａ，ｂを分離するのに用いられる。この時のＭＩＭＯ分離アルゴリズムとしては、ＺＦ法や、ＭＭＳＥ法等が用いられる。
【０１０１】
空間フィルタリング部１２１にて分離された各ストリームａ，ｂは、ＲＳＳＩ測定部３７１，３７２にて、それぞれＲＳＳＩが測定される。この測定結果に基づき、閾値判定部３８１，３８２により反復処理回数Ｃ１，Ｃ２が決定される。
【０１０２】
一方、ＬＤＰＣ復号部３３１，３３２では、仮判定処理が実施され、空間フィルタリング部１２１にて分離された各ストリームａ，ｂに対して、それぞれの変形基本行列P_a,P_bが用いられてＬＤＰＣ復号処理が行われる。
【０１０３】
この仮判定処理によるＬＤＰＣ復号処理により各ストリームａ，ｂの尤度比が導出される。ＬＤＰＣ復号部３３１，３３２にて求められた各ストリームａ，ｂの尤度比は、判定部１６１，１６２において、各ストリームａ，ｂの情報系列の仮判定に用いられる。
【０１０４】
続いて、レプリカ信号を、送信ストリーム数×受信アンテナ数の数分だけ生成するために、この例では４つのレプリカ生成部１４１〜１４４が用いられ、アンテナ１０１で受信されたストリームｂのレプリカ信号ｂ１、アンテナ１０２で受信されたストリームｂのレプリカ信号ｂ２、アンテナ１０１で受信されたストリームａのレプリカ信号ａ１、およびアンテナ１０２で受信されたストリームａのレプリカ信号ａ２が求められる。
【０１０５】
次に、アンテナ１０１，１０２が受信した受信信号から上記レプリカ信号ａ１，ａ２，ｂ１，ｂ２をそれぞれ除去して、残留信号Ｒａ１，Ｒａ２，Ｒｂ１，Ｒａ２を得る。そしてこれらの残留信号Ｒａ１，Ｒａ２，Ｒｂ１，Ｒａ２と、伝搬路推定部１１１，１１２で得られる伝搬路行列Ｈとに基づいて、軟判定値出力部１５１，１５２，１５３，１５４により受信尤度値が得られる。
【０１０６】
このようにして、受信尤度値が求められると、ＬＤＰＣ復号部３３１，３３２が本判定処理を、それぞれ反復処理回数Ｃ１，Ｃ２だけ繰り返し実施する。すなわち、ＬＤＰＣ復号部３３１においては、変形検査行列P_aが用いられて、軟判定値出力部１５１，１５２で求められた受信尤度値が、反復処理回数Ｃ１だけ繰り返しＬＤＰＣ復号され、ストリームａの尤度比が求められる。同様に、ＬＤＰＣ復号部３３２の本判定処理では、変形検査行列P_bが用いられて、軟判定値出力部１５３，１５４で求められる受信尤度値が、反復処理回数Ｃ２だけ繰り返しＬＤＰＣ復号され、ストリームｂの尤度比が求められる。
【０１０７】
そして、ＬＤＰＣ復号部３３１の本判定処理によって求められたストリームａの尤度比は、判定部１６１によりバイナリ判定され、ストリームａを構成する情報系列が得られる。具体的には尤度比が対数で定義された対数尤度比の場合、尤度比が正の値の際には１を、負の値の場合には０と判定する。同様にして、ＬＤＰＣ復号部３３２の本判定処理によって求められたストリームｂの尤度比は、判定部１６２によりバイナリ判定され、ストリームｂを構成する情報系列が得られる。
【０１０８】
なお、ＬＤＰＣ復号部３３１，３３２は、それぞれ対応するストリームのパリティをチェックして誤りが無くなったか否かを判定し、誤りが無くなった場合には、その旨を判定部１６１，１６２に通知して、情報系列を後段のデータ処理部に出力させる。
【０１０９】
このようにストリームａ，ｂが多重された受信信号から、レプリカ信号を除去して得られる残留信号をＬＤＰＣ復号することによって、空間フィルタリング部１２１による空間フィルタリングで分離し復調するよりも、ダイバーシティゲインを得ることができ、復調特性が向上する。
【０１１０】
以上のように、上記構成のＭＩＭＯ受信装置では、復号初期においてＬＤＰＣ復号部３３１，３３２がまず仮判定処理を実施し、これによって得られた受信信号の仮判定結果を用いて、レプリカ生成部１４１〜１４４がレプリカ信号を生成する。そして、このレプリカ信号を受信信号から除去して得られる残留信号と、受信信号とを用いて、軟判定値出力部１５１〜１５４が受信尤度値を求める。その後、ＬＤＰＣ復号部３３１，３３２が本判定処理を実施して、上記受信尤度値をＲＳＳＩ値に応じた回数だけＬＤＰＣ復号を繰り返して各ストリームａ，ｂの尤度比を求めて、これを判定部１６１，１６２でバイナリ判定し、各ストリームａ，ｂの情報系列を得るようにしている。
【０１１１】
したがって、上記構成のＭＩＭＯ受信装置によれば、仮判定処理によって得られた復号結果に基づくレプリカ信号を軟判定値出力部１５１〜１５４にフィードバックして本判定処理を実行するようにしているので、良好な受信特性を得ることができる。
【０１１２】
また上記構成のＭＩＭＯ受信装置では、ＲＳＳＩ値、つまりＳＮＲ(Signal Noise to Ratio)に応じてＬＤＰＣ復号処理の反復回数を変化させるようにしているので、ＳＮＲによらず一定の品質の復号結果を得ることが可能となる。
【０１１３】
具体的にはストリームのＲＳＳＩが場合には、ＬＤＰＣ復号処理の反復回数を多くすることにより復号特性を向上し、ＲＳＳＩが大きい場合には反復回数を少なくして、復号処理の短縮化をはかる。このように、上記構成のＭＩＭＯ受信装置によれば、ＳＮＲの状態にかかわらず受信特性を一定にしたまま、効率的な復号処理を実現することができる。
【０１１４】
また上記構成のＭＩＭＯ受信装置では、ＬＤＰＣ復号部３３１，３３２におけるＬＤＰＣ復号では、検査行列に行基本変形された相異なる検査行列を用いるようにしているので、ストリームａ，ｂ間の空間的な相関を低減することができる。このため、上記構成のＭＩＭＯ受信装置によれば、伝搬路に相関があり、従来のフィードバック処理の繰り返しによって特性が向上しない場合においても、良好な特性を得ることができる。なお、ＬＤＰＣ復号部３３１，３３２が復号時に用いる変形検査行列P_a,P_bは、フィードバック処理の繰り返し毎に、対応する変形検査行列をP_b,P_aのように交換したり、あるいは異なる変形検査行列P_c,P_dのように変更してもよい。
【０１１５】
なお、上記実施の形態では、判定部１６１，１６２の判定結果に基づいて、レプリカ信号を生成するようにしたが、第２の実施形態のように、ＬＤＰＣ復号部３３１，３３２の復号結果からソフトレプリカ信号を生成するようにしてもよい。
【０１１６】
次に、この発明の第４の実施形態に係るＭＩＭＯ受信装置について説明する。図８はその構成を示すブロック図である。同図を用いて各ブロックを具体的に説明する。図８において、アンテナ１０１，１０２は、それぞれ異なる伝搬路を通って到来した信号を空間から受信する。なお、アンテナ１０１，１０２がそれぞれ受信する信号は、異なる２つの送信信号（ストリームａ，ｂ）が空間多重された信号である。
【０１１７】
伝搬路推定部１１１は、アンテナ１０１にて受信した信号に含まれる既知信号等を用いて伝搬路を推定し、伝搬路行列Ｈを作成する。同様に、伝搬路推定部１１２は、アンテナ１０２にて受信した信号に含まれる既知信号等を用いて伝搬路を推定し、伝搬路行列Ｈを作成する。なお、伝搬路行列Ｈは受信アンテナ数の行数と、送信アンテナ数の列数で定義される行列で、各送信アンテナからそれぞれの受信アンテナへの伝搬路応答ベクトルにより構成される。
【０１１８】
空間フィルタリング部１２１は、伝搬路推定部１１１，１１２でそれぞれ求められた伝搬路行列Ｈを用いて、アンテナ１０１，１０２がそれぞれ受信した受信信号を、空間多重される前の送信信号に分離する。
【０１１９】
ＬＤＰＣ復号部４３１，４３２は、行基本変形を行い相異なる形に変形された検査行列（以下、変形検査行列と称する）P_a,P_bをそれぞれ持ち、各変形検査行列P_a,P_bを用いて、空間フィルタリング部１２１にて得られる分離された信号をＬＤＰＣ復号し、各ストリームａ，ｂの尤度比を求める。
【０１２０】
このために、まずＬＤＰＣ復号部４３１，４３２は、仮判定処理を実施し、その後、本判定処理を実行する。仮判定処理においてＬＤＰＣ復号部４３１，４３２は、それぞれ対応する変形検査行列P_a,P_bを用いて、空間フィルタリング部１２１にて得られる分離された信号をＬＤＰＣ復号し、ストリームａ，ｂの尤度比を求める。
【０１２１】
その後の本判定処理においてＬＤＰＣ復号部４３１は、変形検査行列P_aを用いて、後述する軟判定値出力部１５１，１５２で求められる受信尤度値を、後述する尤度比更新量観測部４７１の指示に従って繰り返しＬＤＰＣ復号を実施し、ストリームａの尤度比を求める。
【０１２２】
同様に、本判定処理においてＬＤＰＣ復号部４３２は、変形検査行列P_bを用いて、後述する軟判定値出力部１５３，１５４で求められる受信尤度値を、後述する尤度比更新量観測部４７２の指示に従って繰り返しＬＤＰＣ復号を実施し、ストリームｂの尤度比を求める。なお、上記ＬＤＰＣ復号部４３１，４３２で求められる尤度比は、例えば０．３や０．７といった軟値である。
【０１２３】
尤度比更新量観測部４７１は、ＬＤＰＣ復号部４３１のＬＤＰＣ復号の繰り返し処理で順次得られる尤度比を比較し、尤度比の更新量に応じて、ＬＤＰＣ復号部４３１のＬＤＰＣ復号処理を制御する。具体的には、一回の復号処理で更新される尤度比の更新量が大きい場合、復号処理を継続させる。これにより、誤りが大きく訂正されるため、復号処理によって大きなゲインが得られる。逆に上記更新量が小さい場合には、復号処理によって得られるゲインは飽和状態であると判断できるため、復号処理を停止させ、レプリカ信号除去によってゲインを得る。
【０１２４】
尤度比更新量観測部４７２も、尤度比更新量観測部４７１と同様に、ＬＤＰＣ復号部４３２のＬＤＰＣ復号の繰り返し処理で順次得られる尤度比を比較し、尤度比の更新量に応じて、ＬＤＰＣ復号部４３２のＬＤＰＣ復号処理を制御する。
【０１２５】
判定部１６１は、ＬＤＰＣ復号部４３１で得られた尤度比をバイナリ判定し、ストリームａを構成する情報系列を得る。具体的には尤度比が対数で定義された対数尤度比の場合、尤度比が正の値の際には１を、負の値の場合には０と判定する。同様にして、判定部１６２は、ＬＤＰＣ復号部４３２で得られた尤度比をバイナリ判定し、ストリームｂを構成する情報系列を得る。なお、上記判定部１６１，１６２で求められる情報系列は、０や１といった硬値である。
【０１２６】
レプリカ生成部１４１は、伝搬路推定部１１１で推定された伝搬路情報と、判定部１６２より得られるストリームｂの情報系列とに基づいて、アンテナ１０１で受信されたストリームｂのレプリカ信号ｂ１を生成する。
【０１２７】
また、レプリカ生成部１４２は、伝搬路推定部１１２で推定された伝搬路情報と、判定部１６２より得られるストリームｂの情報系列とに基づいて、アンテナ１０２で受信されたストリームｂのレプリカ信号ｂ２を生成する。
【０１２８】
同様に、レプリカ生成部１４３は、伝搬路推定部１１１で推定された伝搬路情報と、判定部１６１より得られるストリームａの情報系列とに基づいて、アンテナ１０１で受信されたストリームａのレプリカ信号ａ１を生成する。
【０１２９】
また、レプリカ生成部１４４は、伝搬路推定部１１２で推定された伝搬路情報と、判定部１６１より得られるストリームａの情報系列とに基づいて、アンテナ１０２で受信されたストリームａのレプリカ信号ａ２を生成する。
【０１３０】
軟判定値出力部１５１は、アンテナ１０１で受信された信号から上記レプリカ信号ｂ１を減じて残留信号Ｒｂ１を得て、この残留信号Ｒｂ１と伝搬路推定部１１１で得られる伝搬路行列Ｈに基づいて、受信尤度値を求める。
【０１３１】
また、軟判定値出力部１５２は、アンテナ１０２で受信された信号から上記レプリカ信号ｂ２を減じて残留信号Ｒｂ２を得て、この残留信号Ｒｂ２と伝搬路推定部１１２で得られる伝搬路行列Ｈに基づいて、受信尤度値を求める。
【０１３２】
同様に、軟判定値出力部１５３は、アンテナ１０１で受信された信号から上記レプリカ信号ａ１を減じて残留信号Ｒａ１を得て、この残留信号Ｒａ１と伝搬路推定部１１１で得られる伝搬路行列Ｈに基づいて、受信尤度値を求める。
【０１３３】
また、軟判定値出力部１５４は、アンテナ１０２で受信された信号から上記レプリカ信号ａ２を減じて残留信号Ｒａ２を得て、この残留信号Ｒａ２と伝搬路推定部１１２で得られる伝搬路行列Ｈに基づいて、受信尤度値を求める。
【０１３４】
次に、上記構成のＭＩＭＯ受信装置の動作について説明する。  
アンテナ１０１，１０２で受信された信号は、それぞれ対応する伝搬路推定部１１１，１１２に入力され、ここで、受信信号に含まれる既知信号等を用いて伝搬路行列Ｈが推定される。
【０１３５】
このようにして推定された伝搬路行列Ｈは、空間フィルタリング部１２１にて、アンテナ１０１，１０２が受信した受信信号からそれぞれストリームａ，ｂを分離するのに用いられる。この時のＭＩＭＯ分離アルゴリズムとしては、ＺＦ法や、ＭＭＳＥ法等が用いられる。
【０１３６】
空間フィルタリング部１２１にて分離された各ストリームａ，ｂは、ＬＤＰＣ復号部４３１，４３２の仮判定処理により、それぞれの変形基本行列P_a,P_bが用いられてＬＤＰＣ復号処理が行われる。
【０１３７】
この仮判定処理によるＬＤＰＣ復号処理により各ストリームａ，ｂの尤度比が導出される。ＬＤＰＣ復号部４３１，４３２にて求められた各ストリームａ，ｂの尤度比は、判定部１６１，１６２において、各ストリームａ，ｂの情報系列の仮判定に用いられる。
【０１３８】
続いて、レプリカ信号を、送信ストリーム数×受信アンテナ数の数分だけ生成するために、この例では４つのレプリカ生成部１４１〜１４４が用いられ、アンテナ１０１で受信されたストリームｂのレプリカ信号ｂ１、アンテナ１０２で受信されたストリームｂのレプリカ信号ｂ２、アンテナ１０１で受信されたストリームａのレプリカ信号ａ１、およびアンテナ１０２で受信されたストリームａのレプリカ信号ａ２が求められる。
【０１３９】
次に、アンテナ１０１，１０２が受信した受信信号から上記レプリカ信号ａ１，ａ２，ｂ１，ｂ２をそれぞれ除去して、残留信号Ｒａ１，Ｒａ２，Ｒｂ１，Ｒａ２を得る。そしてこれらの残留信号Ｒａ１，Ｒａ２，Ｒｂ１，Ｒａ２と、伝搬路推定部１１１，１１２で得られる伝搬路行列Ｈとに基づいて、軟判定値出力部１５１，１５２，１５３，１５４により受信尤度値が得られる。
【０１４０】
このようにして、受信尤度値が求められると、ＬＤＰＣ復号部４３１，４３２が本判定処理を実施する。すなわち、ＬＤＰＣ復号部４３１においては、変形検査行列P_aが用いられて、軟判定値出力部１５１，１５２で求められた受信尤度値がＬＤＰＣ復号され、ストリームａの尤度比が求められる。このＬＤＰＣ復号は、尤度比更新量観測部４７１から停止指示があるまで繰り返し実行される。
【０１４１】
同様に、ＬＤＰＣ復号部４３２の本判定処理では、変形検査行列P_bが用いられて、軟判定値出力部１５３，１５４で求められる受信尤度値がＬＤＰＣ復号され、ストリームｂの尤度比が求められる。このＬＤＰＣ復号は、尤度比更新量観測部４７２から停止指示があるまで繰り返し実行される。
【０１４２】
尤度比更新量観測部４７１は、ＬＤＰＣ復号部４３１のＬＤＰＣ復号の繰り返し処理で順次得られる尤度比を比較し、尤度比の更新量が閾値以下となった場合に、ＬＤＰＣ復号部４３１に対してＬＤＰＣ復号処理を停止する指示を与える。
【０１４３】
同様に、尤度比更新量観測部４７２は、ＬＤＰＣ復号部４３２のＬＤＰＣ復号の繰り返し処理で順次得られる尤度比を比較し、尤度比の更新量が閾値以下となった場合に、ＬＤＰＣ復号部４３２に対してＬＤＰＣ復号処理を停止する指示を与える。
【０１４４】
そして、ＬＤＰＣ復号部４３１の本判定処理によって求められたストリームａの尤度比は、判定部１６１によりバイナリ判定され、ストリームａを構成する情報系列が得られる。具体的には尤度比が対数で定義された対数尤度比の場合、尤度比が正の値の際には１を、負の値の場合には０と判定する。同様にして、ＬＤＰＣ復号部４３２の本判定処理によって求められたストリームｂの尤度比は、判定部１６２によりバイナリ判定され、ストリームｂを構成する情報系列が得られる。
【０１４５】
なお、ＬＤＰＣ復号部４３１，４３２は、それぞれ対応するストリームのパリティをチェックして誤りが無くなったか否かを判定し、誤りが無くなった場合には、その旨を判定部１６１，１６２に通知して、情報系列を後段のデータ処理部に出力させる。
【０１４６】
このようにストリームａ，ｂが多重された受信信号から、レプリカ信号を除去して得られる残留信号をＬＤＰＣ復号することによって、空間フィルタリング部１２１による空間フィルタリングで分離し復調するよりも、ダイバーシティゲインを得ることができ、復調特性が向上する。
【０１４７】
以上のように、上記構成のＭＩＭＯ受信装置では、復号初期においてＬＤＰＣ復号部４３１，４３２がまず仮判定処理を実施し、これによって得られた受信信号の仮判定結果を用いて、レプリカ生成部１４１〜１４４がレプリカ信号を生成する。そして、このレプリカ信号を受信信号から除去して得られる残留信号と、受信信号とを用いて、軟判定値出力部１５１〜１５４が受信尤度値を求める。その後、ＬＤＰＣ復号部４３１，４３２が本判定処理を実施し、ＬＤＰＣ復号により得られる尤度比の更新量が閾値以下になるまで、上記受信尤度値を繰り返しＬＤＰＣ復号して各ストリームａ，ｂの尤度比を求めて、これを判定部１６１，１６２でバイナリ判定し、各ストリームａ，ｂの情報系列を得るようにしている。
【０１４８】
したがって、上記構成のＭＩＭＯ受信装置によれば、仮判定処理によって得られた復号結果に基づくレプリカ信号を軟判定値出力部１５１〜１５４にフィードバックして本判定処理を実行するようにしているので、良好な受信特性を得ることができる。
【０１４９】
また上記構成のＭＩＭＯ受信装置では、ＬＤＰＣ復号により得られる尤度比の更新量が閾値以下になるまで、上記受信尤度値を繰り返しＬＤＰＣ復号するようにしているので、復号によるゲインを効率よく得ることができる。そのため、復号時の余分な反復処理を削減でき、また反復処理を停止したＬＤＰＣ復号部４３１，４３２を用いて次のストリームの復号処理を行うことにより、受信処理の高速化をはかることができる。
【０１５０】
また上記構成のＭＩＭＯ受信装置では、ＬＤＰＣ復号部４３１，４３２におけるＬＤＰＣ復号では、検査行列に行基本変形された相異なる検査行列を用いるようにしているので、ストリームａ，ｂ間の空間的な相関を低減することができる。このため、上記構成のＭＩＭＯ受信装置によれば、伝搬路に相関があり、従来のフィードバック処理の繰り返しによって特性が向上しない場合においても、良好な特性を得ることができる。なお、ＬＤＰＣ復号部４３１，４３２が復号時に用いる変形検査行列P_a,P_bは、フィードバック処理の繰り返し毎に、対応する変形検査行列をP_b,P_aのように交換したり、あるいは異なる変形検査行列P_c,P_dのように変更してもよい。
【０１５１】
なお、上記実施の形態では、判定部１６１，１６２の判定結果に基づいて、レプリカ信号を生成するようにしたが、第２の実施形態のように、ＬＤＰＣ復号部４３１，４３２の復号結果からソフトレプリカ信号を生成するようにしてもよい。
【０１５２】
なお、この発明は上記実施形態そのままに限定されるものではなく、実施段階ではその要旨を逸脱しない範囲で構成要素を変形して具体化できる。また上記実施形態に開示されている複数の構成要素を適宜組み合わせることによって種々の発明を形成できる。また例えば、実施形態に示される全構成要素からいくつかの構成要素を削除した構成も考えられる。さらに、異なる実施形態に記載した構成要素を適宜組み合わせてもよい。
【０１５３】
例えば、上記実施の形態では、通信路符号化としてＬＤＰＣ符号を用いているが、ＬＤＰＣ符号のように符号化のための生成行列によらず、検査行列を変化させることによって異なる復号特性を得られるような通信路符号であれば、他の符号化方法にも適用が可能である。また、ＭＩＭＯシステムだけではなく、複数のユーザの信号が符号により多重されて受信するＣＤＭＡシステムにおける干渉キャンセラ技術に対しても、適用可能である。  その他、この発明の要旨を逸脱しない範囲で種々の変形を施しても同様に実施可能であることはいうまでもない。
【図面の簡単な説明】
【０１５４】
【図１】この発明に係わるＭＩＭＯ受信装置の第１の実施形態の構成を示す回路ブロック図。
【図２】図１に示したＭＩＭＯ受信装置のＬＤＰＣ復号部で用いられる検査行列の一例を示す図。
【図３】図２に示した検査行列に対応する２部グラフを示す図。
【図４】図２に示した検査行列を行基本変形した変形検査行列の一例を示す図。
【図５】図４に示した検査行列に対応する２部グラフを示す図。
【図６】この発明に係わるＭＩＭＯ受信装置の第２の実施形態の構成を示す回路ブロック図。
【図７】この発明に係わるＭＩＭＯ受信装置の第３の実施形態の構成を示す回路ブロック図。
【図８】この発明に係わるＭＩＭＯ受信装置の第４の実施形態の構成を示す回路ブロック図。
【符号の説明】
【０１５５】
１０１，１０２…アンテナ、１１１，１１２…伝搬路推定部、１２１…空間フィルタリング部、１３１，１３２…ＬＤＰＣ復号部、１４１，１４２，１４３，１４４…レプリカ生成部、１５１，１５２，１５３，１５４…軟判定値出力部、１６１，１６２…判定部、２４１，２４２，２４３，２４４…ソフトレプリカ生成部、３３１，３３２…ＬＤＰＣ復号部、３７１，３７２…ＲＳＳＩ測定部、３８１，３８２…閾値判定部、４３１，４３２…ＬＤＰＣ復号部、４７１，４７２…尤度比更新量観測部。
【図１】
2006287336.tif 000003
【図２】
2006287336.tif 000004
【図３】
2006287336.tif 000005
【図４】
2006287336.tif 000006
【図５】
2006287336.tif 000007
【図６】
2006287336.tif 000008
【図７】
2006287336.tif 000009
【図８】
2006287336.tif 000010